(57)【要約】【課題】室内へ吐出する空気の温度のハンチングを抑制することができる空調システムを提供する。【解決手段】空調システム１は、ヒートポンプ装置２と、熱源装置３と、高温端末４と、低温端末５と、通流量調整部１１と、制御部１０と、を備える。低温端末５は、熱源部３１で加熱された熱媒が通流して室内へ吐出する空気に熱を付与する室内側熱媒熱交換器５０を有する。高温端末運転を行う場合には、第一温度の前記熱媒を高温端末４に通流させる。低温端末運転を行う場合には、第一温度よりも低い第二温度の熱媒を低温端末５に通流させる。高低温端末運転を行う場合には、第一温度の熱媒を高温端末４及び低温端末５に通流させる。高低温端末運転時の低温端末５への熱媒の通流量が、低温端末運転時の低温端末５への熱媒の通流量よりも小さい。【選択図】図１
2020153607.tif 000002
【特許請求の範囲】
【請求項１】
圧縮機と、室外側冷媒熱交換器と、膨張機構と、室内側冷媒熱交換器と、を有するヒートポンプ装置と、
熱媒を加熱する熱源部と、前記熱源部で加熱された熱媒が通流する熱媒流路と、を有する熱源装置と、
前記熱源部で加熱された前記熱媒が通流する高温端末と、
前記熱源部で加熱された前記熱媒が通流して室内へ吐出する空気に熱を付与する室内側熱媒熱交換器を有する低温端末と、
前記低温端末への前記熱媒の通流量を調整する通流量調整部と、
制御部と、を備え、
前記制御部は、
前記高温端末に前記熱媒を通流させると共に前記低温端末に前記熱媒を通流させない高温端末運転を行う場合には、第一温度の前記熱媒を前記高温端末に通流させ、
前記高温端末に前記熱媒を通流させないと共に前記低温端末に前記熱媒を通流させる低温端末運転を行う場合には、前記第一温度よりも低い第二温度の前記熱媒を前記低温端末に通流させ、
前記高温端末に前記熱媒を通流させると共に前記低温端末に前記熱媒を通流させる高低温端末運転を行う場合には、前記第一温度の前記熱媒を前記高温端末及び前記低温端末に通流させるように制御するものであって、
前記高低温端末運転時の前記低温端末への前記熱媒の通流量が、前記低温端末運転時の前記低温端末への前記熱媒の通流量よりも小さいことを特徴とする
空調システム。
【請求項２】
前記高低温端末運転時に、前記低温端末への前記熱媒の通流の実行及び停止を切り替えるデューティ制御を行うことを特徴とする
請求項１記載の空調システム。
【発明の詳細な説明】
【技術分野】
【０００１】
本発明は、空調システムに関するものである。
【背景技術】
【０００２】
従来、冷凍サイクルを構成するコンプレッサ及び膨張弁に加え、ボイラーなどの温水源を備える温水供給装置を備えた空気調和装置が知られている（例えば特許文献１参照）。
【０００３】
この空気調和装置は、ドライ運転時には、コンプレッサからの冷媒を室外熱交換器に流して空冷し、空冷された冷媒は膨張弁および室内冷媒熱交換器を通ってコンプレッサに戻り、室内冷媒熱交換器には冷却された冷たい冷媒が流れる。室内機の前面中央部の前面開口から吸い込まれた空気は、室内冷媒熱交換器で冷却されて水分が除去される。
【０００４】
また、ドライ運転時には、温水供給装置からの温水が温水熱交換器を流れる。室内冷媒熱交換器で冷却されて水分が除去された空気は、温水熱交換器で温められて適温に戻されて、吹出口から吹き出す（特許文献１の段落［００２１］、［００２２］及び［００２６］等参照）。
【先行技術文献】
【特許文献】
【０００５】
【特許文献１】特開２００６−１３２８４６号公報
【発明の概要】
【発明が解決しようとする課題】
【０００６】
ところで、上記のような温水供給装置は、空気調和装置に温水を供給するのみならず、他の温水端末にも温水を供給することが広く行われている。温水供給装置には、温水端末として、浴室暖房乾燥機のように例えば８０℃程の高温の温水を通流させる高温端末と、上記のような空気調和装置や床暖房装置のように例えば６０℃程の低温の温水を通流させる低温端末とが混成してよく接続される。
【０００７】
温水供給装置は、同時には単一温度の温水しか供給することができない。温水供給装置は、高温端末にのみ温水を供給するときには、高温の温水を高温端末に供給すればよく、低温端末にのみ温水を供給するときには、低温の温水を低温端末に供給すればよい。
【０００８】
しかしながら、温水供給装置は、高温端末と低温端末の両方に温水を供給する場合、同時には、高温端末に高温の温水を供給すると共に低温端末に低温の温水を供給することはできない。このため、温水供給装置は、高温端末と低温端末の両方に同時に温水を供給する場合、高温端末と低温端末の両方に高温の温水を供給し、かつ、低温端末への温水の供給のＯＮ／ＯＦＦを切り替えるデューティ制御を行っている。このようにすることで、低温端末に高温の温水が供給されても、温水から低温端末に付与される平均熱量は、低温端末に低温の温水が常に供給される場合の熱量に近づけることができる。
【０００９】
しかしながら、この場合、空気が空気調和装置の低温端末としての温水熱交換器から付与される熱量が上下に変動し、吹出口から吹き出される空気の温度のハンチングが生じやすい、という問題があった。
【００１０】
本発明は上記従来の問題点に鑑みたものであって、室内へ吐出する空気の温度のハンチングを抑制することができる空調システムを提供することを目的とする。
【課題を解決するための手段】
【００１１】
上記課題を解決するために、請求項１に係る空調システムは、ヒートポンプ装置と、熱源装置と、高温端末と、低温端末と、通流量調整部と、制御部と、を備える。前記ヒートポンプ装置は、圧縮機と、室外側冷媒熱交換器と、膨張機構と、室内側冷媒熱交換器と、を有する。前記熱源装置は、熱媒を加熱する熱源部と、前記熱源部で加熱された熱媒が通流する熱媒流路と、を有する。前記高温端末は、前記熱源部で加熱された前記熱媒が通流する。前記低温端末は、前記熱源部で加熱された前記熱媒が通流して室内へ吐出する空気に熱を付与する室内側熱媒熱交換器を有する。前記通流量調整部は、前記低温端末への前記熱媒の通流量を調整する。
【００１２】
前記制御部は、前記高温端末に前記熱媒を通流させると共に前記低温端末に前記熱媒を通流させない高温端末運転を行う場合には、第一温度の前記熱媒を前記高温端末に通流させる。前記制御部は、前記高温端末に前記熱媒を通流させないと共に前記低温端末に前記熱媒を通流させる低温端末運転を行う場合には、前記第一温度よりも低い第二温度の前記熱媒を前記低温端末に通流させる。前記制御部は、前記高温端末に前記熱媒を通流させると共に前記低温端末に前記熱媒を通流させる高低温端末運転を行う場合には、前記第一温度の前記熱媒を前記高温端末及び前記低温端末に通流させるように制御するものである。
【００１３】
前記高低温端末運転時の前記低温端末への前記熱媒の通流量が、前記低温端末運転時の前記低温端末への前記熱媒の通流量よりも小さいことを特徴とする。
【００１４】
また、請求項２に係る発明は、請求項１に係る発明において、前記高低温端末運転時に、前記低温端末への前記熱媒の通流の実行及び停止を切り替えるデューティ制御を行うことを特徴とする。
【発明の効果】
【００１５】
請求項１に係る発明にあっては、高低温端末運転時における低温端末への高温の熱媒の通流量を、低温端末運転時における低温端末への低温の熱媒の通流量よりも小さい量とすることにより、従来例におけるようなデューティ制御が必要ではなくなるため、室内へ吐出する空気の温度のハンチングをなくすかあるいは抑制することができる。
【００１６】
請求項２に係る発明にあっては、従来例におけるようなデューティ制御を行うものにおいては、高低温端末運転時における低温端末への高温の熱媒の通流量を小さくするだけで、室内へ吐出する空気の温度のハンチングを抑制することができる。
【図面の簡単な説明】
【００１７】
【図１】本発明の一実施形態に係る空調システムの全体を概略的に示す構成図である。
【図２】同上の空調システムの制御系を示すブロック図である。
【図３】同上の空調システムの運転例１における高温端末の運転を監視する制御のフロー図である。
【図４】同上の空調システムの運転例２のタイムチャートである。
【図５】同上の空調システムの運転例２における高温端末の運転を監視する制御のフロー図である。
【発明を実施するための形態】
【００１８】
本開示は、空調システム（空気調和システム）に関し、更に詳しくは、ヒートポンプ装置及びヒートポンプ装置とは別の熱源装置と、を備えた空調システムに関するものである。以下、本開示に係る空調システムの一実施形態について、図１〜図５に基づいて説明する。なお、本開示に係る空調システムの実施形態は、下記実施形態に限定されるものではなく、本開示に係る技術的思想を逸脱しない範囲において、種々の変更が可能である。
【００１９】
空調システム１は、ヒートポンプ装置２により冷凍サイクルを成立させるのみならず、冷凍サイクルとは無関係な熱媒を介して、室内へ吐出する空気に熱を付与することができる。図１に示すように、空調システム１は、ヒートポンプ装置２と、熱源装置３と、高温端末４と、低温端末５と、制御部１０（図２参照）と、を備える。本実施形態の空調システム１は、いわゆる温水エアコンであり、再熱除湿機能を有する。
【００２０】
ヒートポンプ装置２は、圧縮機２１と、室外側冷媒熱交換器２２と、膨張機構２３と、室内側冷媒熱交換器２４と、ヒートポンプ制御部２０（図２参照）と、を有する。ヒートポンプ装置２が動作することにより、冷凍サイクルが成立する。
【００２１】
ヒートポンプ装置２は、室外機２０１と室内機２０２とを有する。室外機２０１は、ケーシング（不図示）と、ケーシング内に収容される、圧縮機２１と、室外側冷媒熱交換器２２と、膨張機構２３と、四方弁２５と、送風装置２６等の機器を有する。
【００２２】
膨張機構２３は、キャピラリチューブや電子膨張弁等により構成される。膨張機構２３の流路の一端は、冷媒流路２７を介して室外側冷媒熱交換器２２の流路の一端に接続される。室外側冷媒熱交換器２２は、室外機２０１内の外気流路（不図示）の途中に配置される。室外機２０１のケーシングは、外気を吸込むための吸込み口（不図示）と、空気を吹出すための吹出し口（不図示）とを有し、吸込み口と吹出し口との間に外気流路が形成される。外気流路の途中には更に、送風装置２６としてのファンが配置される。
【００２３】
室外側冷媒熱交換器２２の流路の他端は、冷媒流路２７を介して四方弁２５の第１のポート２５１に接続される。四方弁２５の第２のポート２５２は、冷媒流路２７を介して圧縮機２１の流路の一端に接続される。圧縮機２１の流路の他端は、冷媒流路２７を介して四方弁２５の第３のポート２５３に接続される。膨張機構２３の流路の他端に接続される冷媒流路２７と、四方弁２５の第４のポート２５４に接続される冷媒流路２７とは、室外機２０１より導出され、室内機２０２に導入される。
【００２４】
室内機２０２は、ケーシング（不図示）と、ケーシング内に収容される、室内側冷媒熱交換器２４と、室内側熱媒熱交換器５０と、送風装置２８等の機器を有する。ただし、室内側熱媒熱交換器５０は、空調システム１を構成する要素であるが、ヒートポンプ装置２を構成する要素（すなわち冷凍サイクルを成立させるための要素）ではない。室内機２０２のケーシングは、室内の空気を吸込むための吸込み口（不図示）と、空気を吹出すための吹出し口（不図示）とを有し、吸込み口と吹出し口との間に室内流路（不図示）が形成される。室内流路の途中には、吸込み口側から吹出し口側にかけて、室内側冷媒熱交換器２４と、室内側熱媒熱交換器５０と、送風装置２８としてのファンと、がこの順に配置される。
【００２５】
室内側冷媒熱交換器２４の流路の一端は、冷媒流路２７を介して四方弁２５の第４のポート２５４に接続される。室内側冷媒熱交換器２４の流路の他端は、冷媒流路２７を介して膨張機構２３の流路の他端に接続される。
【００２６】
四方弁２５は、第１のポート２５１と第２のポート２５２とが通じると共に第３のポート２５３と第４のポート２５４とが通じる状態と、第１のポート２５１と第３のポート２５３とが通じると共に第２のポート２５２と第４のポート２５４とが通じる状態のいずれかに任意に切り替えることができる。
【００２７】
ヒートポンプ制御部２０は、ヒートポンプ装置２を制御する。ヒートポンプ制御部２０は、例えばマイクロコンピュータを有し、ＲＯＭ（Read Only Memory）等の記憶媒体に記憶されたプログラムを実行することで、ヒートポンプ装置２を構成する要素の動作を制御する。ヒートポンプ制御部２０は、具体的には、圧縮機２１により搬送される冷媒の単位時間当たりの搬送量（ｌ／ｓ）、室外機２０１及び室内機２０２に配置された送風装置２６，２８による単位時間当たりの風量（ｍ３／ｓ）、四方弁２５の切り替えを制御することができる。ヒートポンプ制御部２０は、室内機２０２に設けられるが、室外機２０１に設けられてもよく、設けられる場所は特に限定されない。
【００２８】
ヒートポンプ装置２は、本実施形態では、吸込み温度検知部２０３（図２参照）を備えている。吸込み温度検知部２０３は、室内機２０２の室内流路の吸込み口近傍に配置されている。吸込み温度検知部２０３は、サーミスタにより構成されるが、サーミスタ以外にも各種の温度センサが適宜利用可能であり、特に限定されない。吸込み温度検知部２０３は、室内機２０２の室内流路に吸込まれる空気の吸込み温度Ｔｒ（℃）（すなわち室内温度）を検知する。吸込み温度検知部２０３により検知された吸込み温度Ｔｒ情報は、ヒートポンプ制御部２０に受信される。
【００２９】
ヒートポンプ装置２は、本実施形態では、外気温度検知部２０４（図２参照）を備えている。外気温度検知部２０４は、室外機２０１の外気流路の吸込み口近傍に配置されている。外気温度検知部２０４は、サーミスタにより構成されるが、サーミスタ以外にも各種の温度センサが適宜利用可能であり、特に限定されない。外気温度検知部２０４は、室外機２０１の外気流路に吸込まれる空気（外気）の外気温度Ｔｏ（℃）を検知する。外気温度検知部２０４により検知された外気温度Ｔｏ情報は、ヒートポンプ制御部２０に受信される。  
【００３０】
ヒートポンプ装置２は、本実施形態では、空調操作部２９（図２参照）を備えている。使用者は、空調操作部２９を操作して、室内目標温度Ｔａ（℃）と、室内機２０２の吹出し口から吹き出す風量Ｑａ（ｍ３／ｓ）とを任意に設定することができる。空調操作部２９より入力された室内目標温度Ｔａと風量Ｑａの情報は、ヒートポンプ制御部２０に受信される。
【００３１】
このヒートポンプ装置２により、冷凍サイクルによる冷房運転と暖房運転とが選択的に運転可能である。冷房運転では、ヒートポンプ制御部２０は、四方弁２５を、第１のポート２５１と第２のポート２５２とが通じると共に第３のポート２５３と第４のポート２５４とが通じる状態とする。これにより、圧縮機２１、室外側冷媒熱交換器２２（凝縮器）、膨張機構２３、室内側冷媒熱交換器２４（蒸発器）、圧縮機２１へと到る冷媒流路２７が形成され、冷房運転の冷凍サイクルが成立する。
【００３２】
冷房運転では、ヒートポンプ制御部２０は、吸込み温度Ｔｒが室内目標温度Ｔａとなるように制御する。室内目標温度Ｔａは、例えば２６℃等の一般的に快適となる温度である。ヒートポンプ制御部２０は、吸込み温度Ｔｒが室内目標温度Ｔａを含む所定の温度範囲に入るように、例えばフィードバック制御を行う。所定の温度範囲は、室内目標温度Ｔａ以上の温度である許容上限温度Ｔｕ（℃）と、許容下限温度Ｔｌ（℃）との間の温度範囲である。具体的には、ヒートポンプ制御部２０は、圧縮機２１が有するモータの単位時間当たりの回転数を調整して、冷媒の搬送量を制御する。また、ヒートポンプ制御部２０は、室内機２０２に配置された送風装置２８が有するモータの単位時間当たりの回転数を調整して、室内機２０２の吹出し口から吹き出す風量Ｑａを制御する。また、ヒートポンプ制御部２０は、室外機２０１に配置された送風装置２６が有するモータの単位時間当たりの回転数を調整して、室外機２０１の外気流路を通流する風量を制御する。
【００３３】
また、暖房運転では、四方弁２５を、第１のポート２５１と第３のポート２５３とが通じると共に第２のポート２５２と第４のポート２５４とが通じる状態とする。これにより、圧縮機２１、室内側冷媒熱交換器２４（凝縮器）、膨張機構２３、室外側冷媒熱交換器２２（蒸発器）、再び圧縮機２１へと到る冷媒流路２７が形成され、暖房運転が行われる。ヒートポンプ制御部２０は、冷房運転の場合と同じ要領で、吸込み温度Ｔｒが室内目標温度Ｔａとなるように制御する。このようなヒートポンプ装置２は、従来広く知られており、様々なものが適宜利用可能であって特に限定されない。また、ヒートポンプ装置２が適宜アキュミュレータ等の機器を有してもよい。
【００３４】
熱源装置３は、熱媒と、熱源部３１と、熱源部３１で加熱された熱媒が通流する熱媒流路３２と、熱源制御部３０（図２参照）と、を有する。本実施形態では、熱媒は温水（水）であるが、熱媒は特に限定されない。熱源部３１は、熱媒を加熱する。本実施形態では、固体高分子形燃料電池（Polymer Electrolyte Fuel Cell、略してＰＥＦＣとする）により、熱源部３１が構成されている。燃料電池は、貯湯式のいわゆるコージェネレーションシステムを構成するものであってもよいし、単体で用いられるものでもよい。燃料電池において発電に伴って発生する熱（排熱）が、熱交換器（不図示）を介して熱媒に付与される。特に、燃料電池がコージェネレーションシステムを構成するものである場合、エネルギー効率が高い。このため、コージェネレーションシステムを構成する燃料電池により、熱源部３１が構成されることが好ましい。
【００３５】
なお、熱源部３１は、ＰＥＦＣに限定されず、他の種類の燃料電池であってもよいし、燃料電池以外であってもよい。例えば、熱源部３１は、エンジンやガスタービンによりジェネレータを動作させる発電装置であってもよい。発電装置は、コージェネレーションシステムを構成するものであることが好ましいが、コージェネレーションシステムを構成しないものでもよい。また、熱源部３１は、例えば燃焼装置であってもよく、特に限定されない。
【００３６】
熱媒流路３２は、途中に、ポンプ等からなる搬送装置３３と、流量調整弁３４と、を有する。
【００３７】
熱源制御部３０は、熱源装置３を構成する要素の動作を制御する。熱源制御部３０は、例えばマイクロコンピュータを有し、ＲＯＭ等の記憶媒体に記憶されたプログラムを実行することで、熱源装置３の要素の動作を制御する。熱源制御部３０は、熱源部３１を制御して、熱源部３１における単位時間当たりの発熱量を調整することができる。また、熱源制御部３０は、搬送装置３３及び流量調整弁３４を制御して、熱媒流路３２を通流する熱媒の通流の実行及び停止、熱媒の通流量を調整することができる。
【００３８】
熱源装置３は、本実施形態では、熱源操作部３５（図２参照）を備えている。使用者は、熱源操作部３５を操作して、低温端末５及び高温端末４の動作、停止及び各種設定を行う。熱源操作部３５より入力された情報は、熱源制御部３０に受信される。
【００３９】
熱媒流路３２には、流路５１を介して低温端末５が接続される。低温端末５に接続される流路５１と熱媒流路３２とにより、途中に低温端末５及び熱源部３１の熱交換器を有する循環流路が構成される。低温端末５に接続される流路５１は、途中に流量調整弁からなる通流量調整部１１を有する。通流量調整部１１は、低温端末５への熱媒の通流の実行及び停止を切り替え可能であると共に、低温端末５への熱媒の通流量を調整可能である。通流量調整部１１は、熱源制御部３０により制御される。
【００４０】
低温端末５は、室内側熱媒熱交換器５０を有する。室内側熱媒熱交換器５０は、熱源部３１で加熱された熱媒が通流して、室内へ吐出する空気に熱を付与する。室内側熱媒熱交換器５０からなる低温端末５は、上述したように、室内機２０２の室内流路の途中に配置される。この室内側熱媒熱交換器５０には、基本的に、熱源部３１としてのＰＥＦＣからの排熱を回収して生成される、４０℃程の低温の熱媒が通流するものとして、空調システム１が設計されている。なお、低温の熱媒の温度は、４０℃程に限定されない。また、熱媒流路３２に、室内側熱媒熱交換器５０を有する低温端末５以外の低温端末（すなわち低温の熱媒を利用する端末）が接続されてもよく、この場合、室内側熱媒熱交換器５０を有する低温端末５以外の低温端末の種類や個数は限定されない。
【００４１】
高温端末４は、熱源部３１で加熱された熱媒が通流する。高温端末４は、浴室暖房乾燥機であり、８０℃程の高温の熱媒を通流させて利用する。なお、高温の熱媒の温度は、８０℃程に限定されず、低温の熱媒の温度よりも高ければよい。また、高温端末４は浴室暖房乾燥機に限定されず、熱媒流路３２に接続される高温端末４の個数は限定されない。高温端末４に接続される流路は、途中に流量調整弁からなる通流量調整部１２を有する。通流量調整部１２は、高温端末４への熱媒の通流の実行及び停止を切り替え可能であると共に、高温端末４への熱媒の通流量を調整可能である。通流量調整部１２は、熱源制御部３０により制御される。
【００４２】
空調システム１は、ヒートポンプ制御部２０と熱源制御部３０との間で通信を行う通信装置（不図示）を更に備える。通信装置により、ヒートポンプ制御部２０と熱源制御部３０とは、無線又は有線により相互に送受信を行うことができる。このような通信装置は、従来知られている様々なものが適宜利用可能であり、特に限定されない。
【００４３】
本実施形態では、空調システム１の制御部１０は、ヒートポンプ制御部２０と熱源制御部３０とにより構成される。すなわち、ヒートポンプ制御部２０と熱源制御部３０とが協働して、空調システム１の全体の制御部１０として機能する。なお、空調システム１が単一の制御部１０を備え、単一の制御部１０が空調システム１の全体を制御してもよい。
【００４４】
次に、空調システム１の各種の運転について説明する。
【００４５】
空調システム１は、再熱除湿運転（ドライ運転）が可能である。再熱除湿運転は、室内機２０２の吸込み口より吸込まれた吸込み温度Ｔｒの空気を、室内側冷媒熱交換器２４で冷却することにより、空気の潜熱を回収して除湿する。更に、室内側冷媒熱交換器２４を通過して温度Ｔｅ（℃）となった空気を、低温端末５としての室内側熱媒熱交換器５０で再加熱することにより吹出し温度Ｔｓ（℃）の空気として、室内機２０２の吹出し口より吹出す。吹出し温度Ｔｓは、吸込み温度Ｔｒと同じにする。なお、吹出し温度Ｔｓは、吸込み温度Ｔｒと異なってもよい。
【００４６】
また、空調システム１は、高温端末運転が可能である。高温端末運転は、高温端末４に熱媒を通流させると共に低温端末５に熱媒を通流させない運転である。高温端末運転では、ヒートポンプ装置２が動作してもよいし、ヒートポンプ装置２が動作しなくてもよい。制御部１０は、高温端末運転を行う場合には、第一温度の熱媒を高温端末４に通流させる。具体的には、浴室暖房乾燥機等の高温端末４のみが動作する運転は、高温端末運転にもちろん該当する。高温端末４が動作し、かつ、ヒートポンプ装置２が動作して冷房運転又は暖房運転（低温端末５が動作しない運転）が行われる運転も、高温端末運転に該当する。再熱除湿運転は、低温端末５が動作するため、高温端末運転に該当しない。
【００４７】
また、空調システム１は、低温端末運転が可能である。低温端末運転は、高温端末４に熱媒を通流させないと共に低温端末５に熱媒を通流させる運転である。制御部１０は、低温端末運転を行う場合には、第一温度よりも低い第二温度の熱媒を低温端末５に通流させる。具体的には、高温端末４が動作せず、かつ、ヒートポンプ装置２が動作して再熱除湿運転が行われる運転は、低温端末運転に該当する。高温端末４が動作せず、かつ、ヒートポンプ装置２が動作して冷房運転又は暖房運転（低温端末５が動作しない運転）が行われる運転は、低温端末運転に該当しない。
【００４８】
また、空調システム１は、高低温端末運転が可能である。高低温端末運転は、高温端末４に熱媒を通流させると共に低温端末５に熱媒を通流させる運転である。制御部１０は、高低温端末運転を行う場合には、第一温度の熱媒を高温端末４及び低温端末５に通流させるように制御するものである。具体的には、高温端末４が動作し、かつ、ヒートポンプ装置２が動作して再熱除湿運転が行われる運転は、高低温端末運転に該当する。高温端末４が動作し、かつ、ヒートポンプ装置２が動作して冷房運転又は暖房運転（低温端末５が動作しない運転）が行われる運転は、高低温端末運転に該当しない。
【００４９】
更に、高低温端末運転時の低温端末５への熱媒の通流量は、低温端末運転時の低温端末５への熱媒の通流量よりも小さい。すなわち、低温端末５は、本来、４０℃程の低温の熱媒が通流するものとして、空調システム１が設計されている。しかしながら、熱源装置３では、同時には単一温度の温水しか生成することができない。従って、熱源装置３は、同時に、高温端末４に高温の熱媒を通流させると共に、低温端末５に低温の熱媒を通流させることができない。このため、高温端末４と低温端末５とが同時に使用される場合には、熱媒の温度を高温端末４に通流させる熱媒の温度（高温）に合わせる。この場合、低温端末５への高温の熱媒の通流量を、低温端末運転時における低温端末５への低温の熱媒の通流量と同じにすると、低温端末５に過剰な熱を付与することになる。
【００５０】
そこで、高低温端末運転時における低温端末５への高温の熱媒の通流量を、低温端末運転時における低温端末５への低温の熱媒の通流量よりも小さい量とする。具体的には、高低温端末運転時に、制御部１０は、流量調整弁からなる通流量調整部１１を制御して、通流量調整部１１の開度を低温端末運転時における開度よりも小さくする。これにより、高低温端末運転時に高温の熱媒が低温端末５に付与する熱量を、低温端末運転時に低温の熱媒が低温端末５に付与する本来の熱量と比較して、過剰に大きくならないようにすることができる。高低温端末運転時に高温の熱媒が低温端末５に付与する熱量は、低温端末運転時に低温の熱媒が低温端末５に付与する本来の熱量と同じであることが好ましいが、特に限定されない。
【００５１】
また、高低温端末運転時における低温端末５への高温の熱媒の通流量を、低温端末運転時における低温端末５への低温の熱媒の通流量よりも小さい量とすることにより、従来例のようなデューティ制御を行わなくても、低温端末５に付与する熱を抑えることが可能となる。空調システム１においては、デューティ制御を行わないようにすることで、室内へ吐出する空気の温度のハンチングをなくすことができる。
【００５２】
更に、制御部１０は、高低温端末運転時に、低温端末５への熱媒の通流の実行及び停止を切り替えるデューティ制御を行ってもよい。このようなデューティ制御は、高温端末４と低温端末５の両方に熱媒を通流させる運転において、従来よく行われていた。この場合、デューティ制御を行う既存の制御プログラムに、高低温端末運転時の低温端末５への熱媒の通流量を、低温端末運転時の低温端末５への熱媒の通流量よりも小さくする制御プログラムを加えるだけでよいため、改良がしやすい。また、通流量調整部１１の開度を調整することにより熱媒の通流量を小さくするのに加えて、デューティ制御によっても熱媒の通流量を小さくすることができて、熱媒の通流量の調整幅が大きくなる。また、高低温端末運転時に低温端末５への熱媒の通流量を小さくせずにデューティ制御のみを行っている従来例と比較して、室内へ吐出する空気の温度のハンチングが抑制される。
【００５３】
以下、空調システム１の運転例１について説明する。運転例１では、再熱除湿運転が行われている。更に、再熱除湿運転による低温端末５の運転のみ行われて低温端末運転であったところ、途中から高温端末４の運転も加わって高低温端末運転となっている。図３に、運転例１の再熱除湿運転における、高温端末４の運転を監視する制御のフロー図を示す。
【００５４】
使用者は、空調操作部２９を操作して、空調システム１による再熱除湿運転を開始する。使用者は、空調操作部２９を操作して、設定温度（室内目標温度Ｔａ）及び設定湿度を設定する。
【００５５】
制御部１０は、再熱除湿運転の開始と同時に、高温端末４の運転を監視する制御を開始する。
【００５６】
図３に示すように、ステップＳ１において、高温端末４が運転されているか否かが判定され、高温端末４が運転されていないと判定された場合には、ステップＳ１に戻る。高温端末４が運転されていると判定された場合には、ステップＳ２に進む。
【００５７】
ステップＳ２において、この時点における吹出し温度Ｔｓと、低温端末５に通流する熱媒の通流量ｑとが、制御部１０が有する記憶部（不図示）に記憶される。記憶部は、例えばＥＥＰＲＯＭ（Electrically Erasable Programmable Read-Only Memory）等からなる不揮発性メモリであるが、特に限定されない。ステップＳ２の後、ステップＳ３に進む。
【００５８】
ステップＳ３において、低温端末５に通流する熱媒の通流量ｑを、記憶部に記憶されている通流量ｑから一段階下げて、これを新たな通流量ｑとして設定すると共に、先に記憶部に記憶されていた通流量ｑを消去して、新たな通流量ｑを記憶部に記憶する。
【００５９】
ここで、この高温端末４の運転を監視する制御において、通流量ｑはテーブル化されている。すなわち、通流量ｑは、本来は連続的な値をとり得るものである。しかしながら、制御を行う上では、例えば０以上１０未満（単位は例えばｌ／ｓ）の通流量ｑを５、１０以上２０未満の通流量ｑを１５、２０以上３０未満の通流量ｑを２５、といったように、離散的な有限個の値に集約すると制御しやすい。運転例１においては、所定の範囲の通流量ｑを複数の値に集約したテーブルを作成し、このテーブル上の値に基づいて、制御を行っている。なお、テーブル上の通流量ｑの具体的な値の説明については省略する。ステップＳ３の後、ステップＳ４に進む。
【００６０】
ステップＳ４において、一定時間が経過したか否かが判定され、一定時間が経過していないと判定された場合には、ステップＳ４に戻る。一定時間は、適宜設定されるもので、特に限定されない。ステップＳ４において、一定時間が経過していると判定された場合には、ステップＳ５に進む。
【００６１】
ステップＳ５において、この時点における吹出し温度Ｔｓを計測する。次に、ステップＳ６に進む。
【００６２】
ステップＳ６において、ステップＳ５において計測された吹出し温度Ｔｓが、記憶部に記憶されている吹出し温度Ｔｓ以下となっているか否かが判定され、記憶部に記憶されている吹出し温度Ｔｓ以下となっていないと判定された場合には、ステップＳ３に戻る。ステップＳ５において計測された吹出し温度Ｔｓが、記憶部に記憶されている吹出し温度Ｔｓ以下となっていると判定された場合には、ステップＳ７に進む。
【００６３】
ステップＳ７において、通流量ｑをこの時点で記憶部に記憶されている通流量ｑに固定する。この状態で、制御部１０は、再熱除湿運転及び高低温端末運転を継続させる。その後、制御部１０は、再熱除湿運転及び高低温端末運転を継続させた状態で、高温端末４の運転を監視する制御を終了する。
【００６４】
運転例１においては、低温端末５への熱媒の通流量ｑをテーブル化した上で、高低温端末運転時における低温端末５への高温の熱媒の通流量ｑを、低温端末運転時における低温端末５への低温の熱媒の通流量よりも小さい量としている。このため、制御部１０は、高温端末４の運転を監視する制御を行いやすく、また、この制御プログラムを作成しやすい。また、運転例１ではデューティ制御を行わないため、室内へ吐出する空気の温度のハンチングをなくすことができる。
【００６５】
次に、空調システム１の運転例２について説明する。運転例１では、高低温端末運転時に、低温端末５への熱媒の通流の実行及び停止を切り替えるデューティ制御を行っていなかった。これに対して、運転例２では、高低温端末運転となってから、低温端末５への熱媒の通流の実行及び停止を切り替えるデューティ制御を行う点でのみ、運転例１と異なる。
【００６６】
図４に、運転例２のタイムチャートを示す。タイムチャートは、デューティ制御における低温端末５への熱媒の通流の実行（ＯＮ）及び停止（ＯＦＦ）、低温端末５に通流する熱媒の通流量ｑ、低温端末５に通流する熱媒の温度Ｔｌ、吹出し温度Ｔｓを示している。
【００６７】
図５に、運転例２の再熱除湿運転における、高温端末４の運転を監視する制御のフロー図を示す。図４及び図５に基づいて、運転例２について説明する。
【００６８】
使用者は、空調操作部２９を操作して、空調システム１による再熱除湿運転を開始する。使用者は、空調操作部２９を操作して、設定温度（室内目標温度Ｔａ）及び設定湿度を設定する。図４の時間ｔが０の時点においては、吸込み温度Ｔｒが設定温度とほぼ一致すると共に吸込み湿度も設定湿度とほぼ一致し、定常状態となっている。定常状態は、時間ｔが０の時点から、高温端末４の運転が開始する時間ｔ１まで続く。
【００６９】
制御部１０は、再熱除湿運転の開始と同時に、図５に示すように、高温端末４の運転を監視する制御を開始する。図４に示すように、運転例２では、時間ｔが０〜ｔ１の間は、デューティ制御が行われず、低温端末５に通流する熱媒の通流量ｑがｑ１、低温端末５に通流する熱媒の温度Ｔｌが低温、吹出し温度ＴｓがＴｓ１である。
【００７０】
図５に示すように、ステップＳ１１において、高温端末４が運転されているか否かが判定され、高温端末４が運転されていないと判定された場合には、ステップＳ１１に戻る。高温端末４が運転されていると判定された場合には、ステップＳ１２に進む。図４に示すように、時間ｔ１において高温端末４の運転が開始して、ステップＳ１２に進む。
【００７１】
図５に示すように、ステップＳ１２において、この時点（時間ｔ１）における吹出し温度Ｔｓ１と低温端末５に通流する熱媒の通流量ｑ１とが、制御部１０が有する記憶部に記憶される。次に、ステップＳ１３に進む。
【００７２】
ステップＳ１３において、デューティ制御が開始される。図４に示すように、時間ｔ１で通流がＯＦＦとなり、通流量ｑが０となり、吹出し温度Ｔｓが低下する。時間ｔ２で通流がＯＮとなり、通流量ｑがｑ２、温度Ｔｌが高温、吹出し温度ＴｓがＴｓ２となっており、吹出し温度Ｔｓは上昇に転じる。時間ｔ３で通流がＯＦＦとなり、通流量ｑが０となり、吹出し温度ＴｓがＴｓ３となっており、吹出し温度Ｔｓは低下に転じる。図５に示すように、ステップＳ１３の後、ステップＳ１４に進む。
【００７３】
ステップＳ１４において、一定時間が経過したか否かが判定され、一定時間が経過していないと判定された場合には、ステップＳ１４に戻る。一定時間は、デューティ制御のＯＮ又はＯＦＦの時間を基に適宜設定されるもので、特に限定されない。ステップＳ１４において、一定時間が経過していると判定された場合には、ステップＳ１５に進む。
【００７４】
ステップＳ１５において、低温端末５に通流する熱媒の通流量ｑを、記憶部に記憶されている通流量ｑから一段階下げて、これを新たな通流量ｑとして設定すると共に、先に記憶部に記憶されていた通流量ｑを消去して、新たな通流量ｑを記憶部に記憶する。運転例２でも、通流量ｑはテーブル化されている。
【００７５】
図４に示すように、時間ｔ４で通流がＯＮとなり、通流量ｑがｑ４（＜ｑ２）、温度Ｔｌが高温、吹出し温度ＴｓがＴｓ４となっており、吹出し温度Ｔｓは上昇に転じる。通流量ｑ４は、テーブル上、通流量ｑ１より一段階低い通流量である。時間ｔ５で通流がＯＦＦとなり、通流量ｑが０となり、吹出し温度ＴｓがＴｓ５となっている。ここで、時間ｔ４で通流量ｑがｑ４（＜ｑ２）に下がり、室内へ吐出する空気に付与される熱量が低下している分、吹出し温度Ｔｓ５は、時間ｔ３時の吹出し温度Ｔｓ３よりも低下している。図５に示すように、ステップＳ１５の後、ステップＳ１６に進む。
【００７６】
ステップＳ１６において、一定時間が経過したか否かが判定され、一定時間が経過していないと判定された場合には、ステップＳ１６に戻る。ステップＳ１６における一定時間は、適宜設定されるもので、特に限定されない。また、ステップＳ１６における一定時間は、ステップＳ１４における一定時間とは関係がない。ステップＳ１６において、一定時間が経過していると判定された場合には、ステップＳ１７に進む。
【００７７】
ステップＳ１７において、この時点における吹出し温度Ｔｓを計測する。次に、ステップＳ１８に進む。
【００７８】
ステップＳ１８において、ステップＳ１７において計測された吹出し温度Ｔｓが、記憶部に記憶されている吹出し温度Ｔｓ以下となっているか否かが判定され、記憶部に記憶されている吹出し温度Ｔｓ以下となっていないと判定された場合には、ステップＳ１５に戻る。
【００７９】
図４に示すように、時間ｔ５での吹出し温度Ｔｓ５は、記憶部に記憶されている吹出し温度Ｔｓ１以下となっていないため、ステップＳ１５に戻る。時間ｔ６で通流がＯＮとなり、通流量ｑがｑ６（＜ｑ４）、温度Ｔｌが高温、吹出し温度ＴｓがＴｓ６となっており、吹出し温度Ｔｓは上昇に転じる。通流量ｑ６は、テーブル上、通流量ｑ４より一段階低い通流量である。時間ｔ７で通流がＯＦＦとなり、通流量ｑが０となり、吹出し温度Ｔｓ７が、記憶部に記憶されている吹出し温度Ｔｓ１以下となっている。図５に示すように、再度、ステップＳ１６及びステップＳ１７を経て、ステップＳ１８に進む。
【００８０】
ステップＳ１８において、ステップＳ１７で計測された吹出し温度Ｔｓが、記憶部に記憶されている吹出し温度Ｔｓ以下となっていると判定された場合には、ステップＳ１９に進む。図４に示すように、時間ｔ７での吹出し温度Ｔｓ７はＴｓ１以下であり、ステップＳ１９に進む。
【００８１】
図５に示すように、ステップＳ１９において、通流量ｑをこの時点で記憶部に記憶されている通流量ｑに固定する。この状態で、制御部１０は、再熱除湿運転及び高低温端末運転（デューティ制御を含む）を継続させる。その後、制御部１０は、再熱除湿運転及び高低温端末運転（デューティ制御を含む）を継続させた状態で、高温端末４の運転を監視する制御を終了する。
【００８２】
運転例２においては、従来例のように高低温端末運転時に低温端末５への熱媒の通流量を小さくせずにデューティ制御のみを行うものと比較して、室内へ吐出する空気の温度のハンチングを抑制することができる。
【００８３】
また、デューティ制御を行う既存の制御プログラムに、高低温端末運転時の低温端末５への熱媒の通流量を、低温端末運転時の低温端末５への熱媒の通流量よりも小さくする制御プログラムを加えるだけでよいため、制御プログラムの改良がしやすい。
【００８４】
なお、運転例１及び運転例２においては、通流量ｑはテーブル化されていたが、通流量ｑはテーブル化されていなくてもよい。例えば、ステップＳ３又はステップＳ１５において、ステップＳ２又はステップＳ１２で取得した吹出し温度Ｔｓを所定の演算式に代入して、新たな通流量ｑを算出してもよい。このとき、所定の演算式に代入するパラメータは、吹出し温度Ｔｓのみでなくてもよい。
【符号の説明】
【００８５】
１    空調システム  
１０  制御部  
１１  通流量調整部
２    ヒートポンプ装置  
２１  圧縮機  
２２  室外側冷媒熱交換器  
２３  膨張機構  
２４  室内側冷媒熱交換器  
３    熱源装置  
３１  熱源部  
３２  熱媒流路  
４    高温端末  
５    低温端末  
５０  室内側熱媒熱交換器
【図１】
2020153607.tif 000003
【図２】
2020153607.tif 000004
【図３】
2020153607.tif 000005
【図４】
2020153607.tif 000006
【図５】
2020153607.tif 000007